(57)【要約】【課題】  （１）データベースの管理のためのサーバが大規模になる、（２）嗜好の近い他のユーザの商品評価情報を収集することが困難、（３）ユーザはそれぞれ商品評価情報をデータベースに入力することが必要、という従来の問題を解決するＰ２Ｐ型レビューシステムを提供する。【解決手段】  複数のユーザ端末とＰ２Ｐ型意味情報ネットワークからなり、複数の各ユーザ端末には特定情報が入力され、各ユーザ端末はＰ２Ｐ型意味情報ネットワークにおいて活性化され、各ユーザ端末の特定情報は意味情報ネットワーク上に登録して他の各ユーザ端末に公開され、任意のユーザ端末は意味情報ネットワーク上に他の各ユーザ端末が登録した特定情報に対して任意のヒット条件を設定し、任意のユーザ端末はヒット条件により他の各ユーザ端末が意味情報ネットワーク上に登録した特定情報の中からヒット条件を満たす特定情報をユーザ嗜好に近い特定情報として収集する。【選択図】  図２
2006072807.tif 000002
【特許請求の範囲】
【請求項１】
複数のユーザ端末とＰ２Ｐ型意味情報ネットワークからなり、
複数の各前記ユーザ端末には特定情報が入力され、
各前記ユーザ端末は前記Ｐ２Ｐ型意味情報ネットワークにおいて活性化され、
各前記ユーザ端末の前記特定情報は、前記意味情報ネットワーク上に登録して他の各前記ユーザ端末に公開され、
任意の前記ユーザ端末は、前記意味情報ネットワーク上に他の各前記ユーザ端末が登録した前記特定情報に対して任意のヒット条件を設定し、
任意の前記ユーザ端末は、前記ヒット条件により、他の各前記ユーザ端末が前記意味情報ネットワーク上に登録した前記特定情報の中から前記ヒット条件を満たす前記特定情報をユーザ嗜好に近い前記特定情報として収集することを特徴とするＰ２Ｐ型レビューシステム。
【発明の詳細な説明】
【技術分野】
【０００１】
本発明は、Ｐ２Ｐ型レビューシステムに関する。より詳細には、ユーザ端末に入力された特定情報、例えば商品評価情報をＰ２Ｐ型意味情報ネットワーク上に公開し、他のユーザ端末に入力された商品評価情報の中で、嗜好の近い他のユーザの商品評価情報を収集することを可能とするＰ２Ｐ型レビューシステムに関する。
【背景技術】
【０００２】
従来、特定情報、例えば商品評価情報を公開し、多くのユーザが収集することの出来るシステムを構築するには、商品評価情報を蓄積する大規模データベースと、データベースへのアクセスの集中管理が必要となるため、（１）データベースの管理のためのサーバが大規模になる、（２）嗜好の近い他のユーザの商品評価情報を収集することが困難、（３）ユーザはそれぞれ商品評価情報をデータベースに入力することが必要、という問題があった（例えば、特許文献１、２を参照）。
【特許文献１】特開２００２−９２０２６号公報
【特許文献２】特開２００２−９４５６１号公報
【発明の開示】
【発明が解決しようとする課題】
【０００３】
本発明の目的は、（１）データベースの管理のためのサーバが大規模になる、（２）嗜好の近い他のユーザの商品評価情報を収集することが困難、（３）ユーザはそれぞれ商品評価情報をデータベースに入力することが必要、という従来の問題を解決するＰ２Ｐ型レビューシステムを提供することにある。
【課題を解決するための手段】
【０００４】
上記目的を達成するために、本発明の第１の態様のＰ２Ｐ型レビューシステムは、複数のユーザ端末とＰ２Ｐ型意味情報ネットワークからなり、複数の各ユーザ端末には特定情報が入力され、各ユーザ端末はＰ２Ｐ型意味情報ネットワークにおいて活性化され、各ユーザ端末の特定情報は意味情報ネットワーク上に登録して他の各ユーザ端末に公開され、任意のユーザ端末は意味情報ネットワーク上に他の各ユーザ端末が登録した特定情報に対して任意のヒット条件を設定し、任意のユーザ端末はヒット条件により他の各ユーザ端末が意味情報ネットワーク上に登録した特定情報の中からヒット条件を満たす特定情報をユーザ嗜好に近い特定情報として収集することを特徴とする。
【０００５】
また、本発明の第２の態様のＰ２Ｐ型レビューシステムは、特定情報として商品評価情報を含むことを特徴とする。
【０００６】
また、本発明の第３の態様のＰ２Ｐ型レビューシステムは、特定情報が数値情報を含み、より大きな数値情報を含む特定情報をユーザ嗜好により近い特定情報とすることを特徴とする。
【０００７】
また、本発明の第４の態様のＰ２Ｐ型レビューシステムは、任意のユーザ端末が意味情報ネットワークから収集した他の各ユーザ端末の登録した特定情報の数値情報の平均値を計算する機能を有することを特徴とする。
【０００８】
また、本発明の第５の態様のＰ２Ｐ型レビューシステムは、任意のユーザ端末が意味情報ネットワークから収集した他の各ユーザ端末の登録した特定情報の数値情報の最大値を表示する機能を有することを特徴とする。
【発明の効果】
【０００９】
以下説明したように、本発明のＰ２Ｐ型レビューシステムによれば、特定情報、例えば商品評価情報の公開と収集にＰ２Ｐ型意味情報ネットワークを用いることにより、（１）集中型データベースへのアクセス管理のための大規模サーバが必要でなく、（２）嗜好の近い他のユーザの商品評価情報を収集することが出来、（３）商品評価情報はユーザ端末への入力により公開される、という効果がある。
【発明を実施するための最良の形態】
【００１０】
次に、本発明の実施の形態について、図面を参照して詳細に説明する。
【００１１】
図１は、本発明のＰ２Ｐ型レビューシステムの構成を説明する図であって、１１〜１４はユーザ端末、２はＰ２Ｐ型意味情報ネットワークである。図１で、ユーザ端末１１〜１４は、それぞれ互いに独立にＰ２Ｐ型意味情報ネットワーク２に接続される。
【００１２】
図２は、本発明のＰ２Ｐ型レビューシステムの動作を説明するフローチャートである。ステップ２０１で、各ユーザ端末１１〜１４には、特定情報、例えば「鞄」に関する商品評価情報が入力される。ステップ２０２で、各ユーザ端末１１〜１４はＰ２Ｐ型意味情報ネットワーク２において活性化される。ステップ２０３で、各ユーザ端末１１〜１４の「鞄」に関する商品評価情報は、意味情報ネットワーク２上に登録して他のユーザ端末に公開される。ステップ２０４で、任意のユーザ端末、例えば１１は、意味情報ネットワーク２上に他の各ユーザ端末１２〜１４が登録した「鞄」に関する商品評価情報に対して任意のヒット条件、例えば「数値情報が５以上」を設定する。ステップ２０５で、ユーザ端末１１は、「数値情報が５以上」というヒット条件により、他の各ユーザ端末１２〜１４が意味情報ネットワーク上に登録した「鞄」に関する商品評価情報の中から、「数値情報が５以上」のヒット条件を満たす「鞄」に関する商品評価情報をユーザ嗜好に近い特定情報として収集する。
【００１３】
図３は、本発明のＰ２Ｐ型レビューシステムの動作を説明する図であって、ａ１１（ｎ１）〜ａ１４（ｎ４）はユーザ端末１１〜１４の「鞄」に関する商品評価情報、ｎ１〜ｎ４はユーザ端末１１〜１４の「鞄」に関する商品評価情報の有する数値情報、Ａは収集した「鞄」に関する商品評価情報の有する数値情報の平均値、Ｍは同最大値をそれぞれ示す。ユーザ端末１１は、ユーザ嗜好に近い「鞄」に関する商品評価情報のヒット条件として「数値情報が５以上」を設定し、ヒット条件を満たす数値情報６および８を有する「鞄」に関する商品評価情報を端末１２および１４から収集する。また、ユーザ端末１１は収集した、「数値情報が５以上」というヒット条件を満たす、嗜好に近い「鞄」に関する商品評価情報の平均値が７、最大値が８の計算および表示機能を有している。
【図面の簡単な説明】
【００１４】
【図１】本発明のＰ２Ｐ型レビューシステムの構成を説明する図である。
【図２】本発明のＰ２Ｐ型レビューシステムの動作を説明するフローチャートである。
【図３】本発明のＰ２Ｐ型レビューシステムの動作を説明する図である。
【符号の説明】
【００１５】
１１〜１４  ユーザ端末
２  意味情報ネットワーク
２０１〜２０５  ステップ
【図１】
2006072807.tif 000003
【図２】
2006072807.tif 000004
【図３】
2006072807.tif 000005